(57)【要約】【課題】汚染物質および空気中のウイルスを除去できる、費用効率の高い電気ユニットを提供する。また、「ブラックウォール効果」を生じない電気ユニットを提供する。さらに、ユーザーにとって害のない電気ユニットを提供する。【解決手段】室内領域の空気の質を改善できる電気ユニットを使用する器具および方法。当該電気ユニットは、空気流を発生させるよう構成された空気循環装置と、第１および第２の高電圧線に対して作用的に接続された低温プラズマ発生装置であって、第１の高電圧線と第２の高電圧線との間に高電圧を発生させるよう構成された低温プラズマ発生装置と、第１の高電圧線に対して電気的に接続された第１の電極と、第２の高電圧線に対して電気的に接続された第２の電極とを具備してなり、第１および第２の電極は空気流中に高電圧電界を発生させるよう構成されている。【選択図】図１
2008136846.tif 000002
【特許請求の範囲】
【請求項１】
電気ユニットであって、
空気流を発生させるよう構成された空気循環装置と、
第１および第２の高電圧線に対して作用的に接続された低温プラズマ発生装置であって、前記第１の高電圧線と前記第２の高電圧線との間にパルス電圧差を発生させるよう構成された低温プラズマ発生装置と、
前記第１の高電圧線に対して電気的に接続された第１の電極と、
前記第２の高電圧線に対して電気的に接続された第２の電極と、を具備してなり、
前記第１および第２の電極は、前記空気流に高パルス電圧電界を発生させるよう構成されていることを特徴とする電気ユニット。
【請求項２】
前記第１および第２の電極はそれぞれ、プラスチック製ブラケットによって、少なくとも部分的に覆われていることを特徴とする請求項１に記載の電気ユニット。
【請求項３】
前記第１および第２の電極は、約１.２０インチないし約１.３０インチだけ離間していることを特徴とする請求項１に記載の電気ユニット。
【請求項４】
前記第１の電極および前記第２の電極は、約１.２６インチだけ離間していることを特徴とする請求項３に記載の電気ユニット。
【請求項５】
前記低温プラズマ発生装置は、約２５００ないし６０００ボルトを発生させるようになっていることを特徴とする請求項１に記載の電気ユニット。
【請求項６】
前記低温プラズマ発生装置は、前記第１の電極と前記第２の電極との間に、約３０００ボルトの電気パルスを発生させるようになっていることを特徴とする請求項５に記載の電気ユニット。
【請求項７】
前記電気パルスは、約３ないし約４ミリ秒のサイクルを有するものであることを特徴とする請求項６に記載の電気ユニット。
【請求項８】
前記第１および第２の電極はカーボンブラシであることを特徴とする請求項１に記載の電気ユニット。
【請求項９】
コントローラーと、
前記コントローラーに電気的に接続されると共に、前記コントローラーによって制御される加熱要素と、
前記空気循環装置に対して電気的に接続されたモーターと、
前記加熱要素に対して電気的に接続された温度センサーであって、電気ユニットに関連する温度が所定の温度を上回って上昇したときに前記加熱要素を停止させるために電気ユニットに信号を送信するよう構成された温度センサーと、
前記加熱要素と前記温度センサーとの間を電気的につなぐ温度ヒューズと、
前記加熱要素に対して電気的に接続された表示ライトであって、前記温度センサーおよび前記温度ヒューズの少なくとも一方が機能しないときに点灯する表示ライトと、
前記コントローラーおよび前記加熱要素に対して電気的に接続されたワット数選択盤であって、電気ユニットのワット数出力を変更するよう構成されたワット数選択盤と、
をさらに具備してなることを特徴とする請求項１に記載の電気ユニット。
【請求項１０】
背面カバーであって、前記低温プラズマ発生装置が取り付けられる背面カバーと、
前記背面カバーを覆うように取り付けられる前面カバーであって、少なくとも一つのスリットを有し、この少なくとも一つのスリットを経て空気が流動することを可能とする前面カバーと、
前記背面カバーと前記前面カバーとの間に取り付けられたファンデッキであって、前記モーターおよび前記空気循環ユニットに対して連結されたファンデッキと、
前記ファンパネルアセンブリに取り付けられた、徐々に湾曲する後部セクションを有する要素マウントであって、それと前記ファンパネルアセンブリとの間に前記加熱要素が配置されるようになっている要素マウントと、
をさらに具備してなることを特徴とする請求項１に記載の電気ユニット。
【請求項１１】
前記第１および第２の電極は、前記要素マウントに取り付けられていることを特徴とする請求項１０に記載の電気ユニット。
【請求項１２】
前記第１および第２の電極は前記加熱要素上に配置され、かつ前記加熱要素は前記空気循環装置上に配置されており、空気は、前記空気循環装置を経て電気ユニットに流入し、前記加熱要素を通過し、そして電気ユニットから流出する前に前記第１および前記第２の電極によって発生させられた電界を通過するようになっていることを特徴とする請求項１０に記載の電気ユニット。
【請求項１３】
前記低温プラズマ発生装置は電界パルスを発生させ、この電界パルスが、空気流中の水分子を、水素陽イオンと、ヒドロキシル陰イオンとに分離させるようになっていることを特徴とする請求項１に記載の電気ユニット。
【請求項１４】
電気器具であって、
空気流を循環させるための手段と、
前記循環手段に対して接続された高電圧を発生させるための手段であって、高電圧を伝送するための第１の手段および第２の手段に対して作用的に接続されており、高電圧を伝送するための前記第１の手段と前記第２の手段との間にパルス電圧を発生させるよう構成された高電圧発生手段と、
高電圧を伝送するための前記第１の手段に対して電気的に接続された、空気流中に高電圧電界を発生させるための第１の手段と、
高電圧を伝送するための前記第２の手段に対して電気的に接続された、空気流中に高電圧電界を発生させるための第２の手段と、
を具備してなることを特徴とする電気器具。
【請求項１５】
電界を発生させるための前記第１の手段および第２の手段は、約１.２０インチないし約１.３０インチだけ離間していることを特徴とする請求項１４に記載の電気器具。
【請求項１６】
電界を発生させるための前記第１の手段および第２の手段は、約１.２６インチだけ離間していることを特徴とする請求項１５に記載の電気器具。
【請求項１７】
高電圧を発生させるための前記手段は、約２５００ないし６０００ボルトの出力を発生させるようになっていることを特徴とする請求項１４に記載の電気器具。
【請求項１８】
高電圧を発生させるための前記手段は、電界を発生させるための前記第１の手段と第２の手段との間に、約３０００ボルトの電気パルスを発生させるようになっていることを特徴とする請求項１７に記載の電気器具。
【請求項１９】
前記電気パルスは、約３ないし約４ミリ秒のサイクルを有するものであることを特徴とする請求項１８に記載の電気器具。
【請求項２０】
温度を制御するための手段と、
温度を制御するための前記手段に電気的に接続された加熱手段と、
空気流を循環させるための前記手段に対して電気的に接続されたモーターと、
前記加熱手段に対して電気的に接続された温度を検出するための手段であって、温度が所定の温度を上回って上昇したときに前記加熱要素を停止させるために電気器具に信号を送信する温度検出手段と、
前記加熱手段と前記検出手段との間を電気的につなぐ温度ヒューズと、
前記加熱手段に対して電気的に接続された表示のための手段であって、前記検出手段および前記温度ヒューズの少なくとも一方が機能しないときに点灯するようになっている表示手段と、
をさらに具備してなることを特徴とする請求項１４に記載の電気器具。
【請求項２１】
電気器具を製造するための方法であって、
ハウジング内に低温プラズマ発生装置を配置することと、
第１および第２の高電圧線を前記低温プラズマ発生装置に対して接続することと、
第１の電極を、前記第１の高電圧線に対して接続することと、
第２の電極を、前記第２の高電圧線に対して接続することと、
前記ハウジング内に空気循環装置を配置し、この空気循環装置が、前記第１および第２の電極によって発生させられる電界を経て空気を移動させるようにすることと、
を具備することを特徴とする電気器具を製造するための方法。
【請求項２２】
モーターを前記空気循環装置に対して接続することと、
前記ハウジング内に加熱要素を配置することと、
温度センサーを前記加熱要素に対して接続することと、
前記加熱要素と前記温度センサーとの間を温度ヒューズでつなぐことと、
前記ハウジング内に表示ライトを配置することと、
を具備することを特徴とする請求項２１に記載の電気器具を製造するための方法。
【発明の詳細な説明】
【技術分野】
【０００１】
本発明は概して室内空気の質の改善に関する。さらに詳しく言うと、本発明は、熱を提供すると共に、低温プラズマ発生装置を用いて室内領域の空気の質を改善するためのデバイスに関する。
【背景技術】
【０００２】
空気の汚染は深刻な健康問題である。空気が汚染物質、たとえばバクテリア、ウイルス、アレルゲン、およびその他の空中に浮遊する病原によって汚染され得ることは、よく知られた問題である。ある状況では、これら汚染物質は我々を少々不快にさせるが、ある深刻な事例では、これら汚染物質は死をもたらすこともある。たとえば、2003SARS(Severe Acute Respiratory Syndrome)発生時には、774人がこの空中に浮遊するウイルスで死亡した。
【０００３】
空気の質を改善するために陰イオン技術が開発された。ある陰イオン技術デバイスは電子を獲得した酸素原子を使用する。酸素陰イオンは、正に帯電した汚染物質(たとえば、ダスト、花粉、煙および鱗屑)に対する磁気的な吸引によって、汚染物質とイオンとから新しく生成される大きな粒子が重くなりすぎて空中に浮遊していられなくなるまで、空気をきれいにする。だが、酸素陰イオンは寿命が非常に短く(２〜６分)、住居の隅ずみまで完全に行き渡るまえに不活性となってしまう。さらに、高出力の陰イオン発生装置は、通常、「ブラックウォール(black-wall)効果」を引き起こすが、これは、イオン発生装置付近の壁または他の面に付着する、取り除くのが厄介な残留物である。さらに、ほとんどの陰イオン発生装置はフィルターを使用し、頻繁なメンテナンスを必要とする。
【０００４】
空気をきれいにするためにオゾン発生装置も使用される。オゾン発生装置はオゾンを発生させるが、これは、我々が通常呼吸している二原子ではなく三つの酸素原子を含む活性酸素である。オゾンは強力なバクテリア死滅作用を有する。だが、オゾンはまた人体にも有害であることが知られている。さらに、オゾン発生装置に関連するコストは概ね高い。
【発明の開示】
【発明が解決しようとする課題】
【０００５】
したがって、汚染物質および空気中のウイルスを除去できる、費用効率の高い電気ユニットを提供することが望ましい。さらに、「ブラックウォール効果」を生じない電気ユニットを提供することが望ましい。加えて、ユーザーにとって害のない電気ユニットを提供することが望ましい。
【課題を解決するための手段】
【０００６】
上記必要性は本発明によって相当な程度まで満たされるが、ある態様に関しては、空気をきれいにするために急速に上昇し短時間しか持続しない電気パルスをもたらすための低温プラズマ発生装置を含むファン強制型電気ユニットをある実施形態においては含む器具が提供される。他の実施形態では、低温プラズマ発生装置は、処理空気をヒーターとして使用する他のデバイスと組み合わされる。
【０００７】
本発明のある実施形態によれば電気ユニットが提供される。当該電気ユニットは、空気流を発生させるよう構成された空気循環装置と、第１および第２の高電圧線に対して作用的に接続された低温プラズマ発生装置であって第１の高電圧線と第２の高電圧線との間にパルス電圧差を発生させるよう構成された低温プラズマ発生装置と、第１の高電圧線に対して電気的に接続された第１の電極と、第２の高電圧線に対して電気的に接続された第２の電極とを具備してなり、第１および第２の電極は空気流中に高パルス電圧電界を発生させるよう構成されている。
【０００８】
本発明の別な実施形態によれば電気器具が提供される。当該電気器具は、空気流を循環させるための手段と、循環手段に対して接続された高電圧を発生させるための手段であって高電圧を伝送するための第１の手段および第２の手段に対して作用的に接続されており、高電圧を伝送するための第１の手段と第２の手段との間にパルス電圧を発生させるよう構成された高電圧発生手段と、高電圧を伝送するための第１の手段に対して電気的に接続された、空気流中に高電圧電界を発生させるための第１の手段と、高電圧を伝送するための第２の手段に対して電気的に接続された、空気流中に高電圧電界を発生させるための第２の手段とを具備してなる。
【０００９】
本発明のさらに別な実施形態によれば電気器具の製造方法が提供される。当該方法は、ハウジング内に低温プラズマ発生装置を配置することと、第１および第２の高電圧線を低温プラズマ発生装置に対して接続することと、第１の電極を第１の高電圧線に対して接続することと、第２の電極を第２の高電圧線に対して接続することと、ハウジング内に空気循環装置を配置し、この空気循環装置が第１および第２の電極によって発生させられる電界を経て空気を移動させるようにすることとを具備する。当該方法はさらに、モーターを空気循環装置に対して接続することと、ハウジング内に加熱要素を配置することと、温度センサーを加熱要素に対して接続することと、加熱要素と温度センサーとの間を温度ヒューズでつなぐことと、ハウジング内に表示ライトを配置することとを具備する。
【００１０】
詳細な説明がより良く理解できるように、そして従来技術に対する貢献がより良く認識できるように、本発明のある実施形態をむしろ大まかに説明してきた。もちろん、以下で説明されかつ特許請求の範囲に記載の対象事項をなしている本発明の付加的実施形態が存在する。
【００１１】
この点に関して、本発明の少なくとも一つの実施形態を説明する前に、本発明は、その適用に関して、以下の説明において言及するかあるいは図示したコンポーネントの細部構造および配置構成には限定されないことを理解されたい。本発明は、説明したもの以外の形態をとることができ、かつさまざまな様式で実施し、達成できる。さらに、要約書はもちろん、本発明において用いた表現および専門用語は説明のためのものであり、限定と見なすべきではないことを理解されたい。
【００１２】
たとえば、本開示の基になっている技術的思想は、本発明のいくつかの目的を達するためのその他の構造、方法およびシステムの設計のための基礎として容易に利用可能であることは当業者には明白であろう。それゆえ、本発明の趣旨および範囲から逸脱しない限り、特許請求の範囲の記載はそうした等価構造を含むものと見なされるということが重要である。
【発明を実施するための最良の形態】
【００１３】
以下、図面(同じ参照数字は全図を通じて同じ部品を示している)を参照して本発明について説明する。本発明による一実施形態はファン強制型(fan forced)電気ユニットを提供するが、このものは、空気をきれいにするための急速に上昇し、持続時間の短い電気パルスをもたらす低電力低温プラズマ発生装置を含んでいる。低電力低温プラズマ発生装置は、ミリ秒のオーダーで約３０００ボルトの電気パルスを発生させることができる。
【００１４】
本発明に係る装置の一実施形態を図１に示す。電気ユニット１００は、背面カバー１０２と、前面カバー１０４と、ファン‐パネルアセンブリ２００とを含んでいる。
【００１５】
前面カバー１０４はノブ１２４を含む。前面カバー１０４はスリット１５４を有し、これによって空気が前面カバー１０４を通って流動することが可能となっている。前面カバー１０４は背面カバー１０２を覆うように取り付けられる。本発明のある実施形態では、電気ユニット１００はポータブル型の室内ヒーター(space heater)である。ノブ１２４はサーモスタット１２６に接続されている。ユーザーは、ノブ１２４を回転させることで電気ユニット１００を作動させることができ、そしてノブ１２４を用いて電気ユニット１００の熱出力を調整することもできる。たとえば、ユーザーは、ノブを時計回りあるいは反時計回りに回転させることによって温度を調整することができる。
【００１６】
サーモスタット１２６はファンデッキ１０６上に取り付けられており、かつ加熱要素１２２に電気的につながっている。サーモスタットは、温度が所定温度を超えて上昇するかあるいは所定温度を下回って低下したときに加熱要素１２２を作動あるいは停止させるために、加熱要素１２２に信号を送信するよう構成されている。
【００１７】
表示ライト１３４もまた、ファン‐パネルアセンブリ２００に設けられている。表示ライト１３４は加熱要素１２２に対して電気的に接続されており、これによって表示ライト１３４は、温度センサー１４０あるいは温度ヒューズ１３８のいずれかが機能しないときに発光する(図４参照)。
【００１８】
ファン‐パネルアセンブリ２００は、空気の流れを促進するための開口部１５０を有する。ファン‐パネルアセンブリ２００はファン開口部１５２を有しており、前面カバーのスリット１５４を経て電気ユニット１００内にファン１１８が空気を引き込むことが可能となっている。ファン‐パネルアセンブリ２００は、加熱要素をファンデッキ１０６に取り付けるためのスロット１３０を含む。要素マウント１０８は徐々に湾曲した後部セクションを有し、しかもファンデッキ１０６の背面に取り付けられており、この結果、加熱要素１２２はファンデッキ１０６と要素マウント１０８との間に配置される。さらに、加熱要素１２２は開口部１５０の下に設けられており、この結果、冷たい空気が加熱要素１２２を通過して熱せられ、その後、加熱要素１５０から出て行くようになる。モーター１２０はファンデッキ１０６上に固定されており、かつファン１１８に対して連係動作可能(作用的)に接続されている。
【００１９】
低温プラズマ発生装置１１６(プラズマ発生装置として知られている)は背面カバー１０２に設けられる。それぞれ二つの端部を有する２本の高電圧線１１０が、図２に示すように、その端部の一方でプラズマ発生装置１１６に対して電気的に接続されており、かつ他端は第１および第２の電極１１２,１１３に対して電気的に接続されている。二つの電極１１２,１１３は正反対に帯電させられ、かつ少なくとも部分的にプラスチック製ブラケット１１４によって覆われている。第１および第２の電極１１２,１１３は約１.２０インチないし約１.３０インチだけ離間させることができる。本発明のある実施形態では、第１および第２の電極１１２,１１３は約１.２６インチだけ離間している。本発明のある実施形態では、第１および第２の電極１１２,１１３はカーボンブラシである。
【００２０】
低温プラズマ発生装置１１６は、第１および第２の電極１１２,１１３間に、放電の急速上昇パルスを発生させる。低温プラズマ発生装置は、第１および第２の電極１１２,１１３間に、約２５００ないし約６０００ボルトのパルスを発生させることができる。本発明のある実施形態では、低温プラズマ発生装置１１６は、第１および第２の電極１１２,１１３間に、約３０００ボルトのパルスを発生させる。本発明のある実施形態では、急速上昇パルスは、ミリ秒のオーダーのサイクル時間を有する。本発明のある実施形態では、急速上昇パルスは、約１ないし約６ミリ秒のサイクルを有する。本発明のある実施形態では、急速上昇パルスは、約３ないし約４ミリ秒のサイクルを有する。
【００２１】
急速放電とは、それによって、電極の周りにプラズマが形成されるよう中性流体(通常は空気)をイオン化することによって当該流体中に高い電位を伴って電極からパルス電流(おそらく持続される)が発生するプロセスである。最終的に生成されるイオンは空気流によって直ぐ近くの領域を通過させられ、あるいは中性ガス分子を形成するように再結合する。したがって、低温プラズマ発生装置１１６は、プロセス中の生成物に由来する有害物を生成しない。ゆえに、それは、陰イオン技術あるいはオゾン発生装置よりも、室内領域での空気の浄化に一層好適である。
【００２２】
電極１１２,１１３は要素マウント１０８に、そしてファンパネル１０６の開口部１５０の上に設けられており、この結果、暖かい空気が開口部１５０を抜け、そして電極１１２,１１３を通過するとき、低温プラズマ発生装置１１６は、高エネルギーパルスを発生させ、そして空気中に浮遊する水分子を、正反対に帯電した水素およびヒドロキシルイオンへと分裂させる。ヒドロキシル陰イオンは、空気中のバクテリアまたはウイルスと結合し、その物質代謝を妨げ、そしてそれがさらに増殖するのを抑止する。
【００２３】
電気ユニット１００は、「ブラックウォール効果」を生じない。「ブラックウォール効果」は負に帯電した粒子によって生じる。この効果はダスト収集に使用される。電気ユニット１００はプラズマ(正に帯電した水素イオンおよび負に帯電したヒドロキシルイオン)を生成するが、これはダストに対してほとんど作用しない。ゆえに、陰イオン発生装置とは違い、電気ユニット１００は、「ブラックウォール効果」を生じない。
【００２４】
図２には、前面カバー１０４とファンデッキ１０６を取り外した状態で、本発明の一実施形態による電気ユニット１００を正面から見て示す。ファンデッキ１０６は、開口部１５０,１５２を備えた金属材から形成できる(図１参照)。要素マウント１０８はファンデッキ１０６の背後に固定されており、かつ加熱要素１２２は要素マウント１０８とファンデッキ１０６との間に設けられている。加熱要素１２２はスロット１３０によってファンデッキ１０６および要素マウント１０８に固定されている。
【００２５】
上述したように、低温プラズマ発生装置１１６は２本の高電圧線１１０に接続されており、かつそれは電極１１２,１１３に接続されている。電極１１２,１１３はカーボンブラシであり、かつ電気的絶縁のためにプラスチック製ブラケット１１４によって部分的に覆われている。それゆえ、プラスチック製ブラケット１１４は放電作用をもたらさない。さらに、プラスチック製ブラケット１１４は、ファンデッキ１０６上に電極１１２,１１３を固定するよう構成できる。
【００２６】
要素マウント１０８は、温度ヒューズ１２８を受け容れるための開口部１２８を有する。温度ヒューズ１２８は、加熱要素と温度センサーとの間を電気的につなぐ。温度ヒューズ１２８は、電気ユニット１００にとってのフェイルセイフデバイスである。
【００２７】
図３は、図２の線３‐３に沿って取った断面図である。それは、電気ユニット１００のさまざまなコンポーネントの相対的位置を示している。さらに、それは電気ユニット１００を通る空気の流れを示している。まず、ファン１１８が作動させられると、空気は、前面カバー１０４の下側部分のスリット１５４を経て電気ユニット１００内へと引き込まれる(図１参照)。空気は加熱要素１２２を通って上に向けられる。熱せられた空気は、続いて電極１１２,１１３を通り、電気ユニット１００を出て行く。電極１１２,１１３は、概ね３０００ボルトのパルス電位を両者間に有し、この結果、電界を形成するが、これによって、電界を通過する空気中の水分子が水素陽イオンとヒドロキシル陰イオンとに分裂するようになっている。ヒドロキシル陰イオンは続いてバクテリアおよびウイルスと結合し、それらを駆除する。ユニット１００のバクテリア死滅能力は加熱要素１１２がなくても機能し得ることに留意されたい。それゆえユーザーは、加熱要素１２２がスイッチオフの状態を維持するようサーモスタット１２６を設定でき、しかも依然としてバクテリア死滅機能の利益を享受できる。
【００２８】
図４は、本発明の一実施形態によるファン‐パネルアセンブリ２００の分解図であり、さまざまな小部品を示している。ファン１１８は、シャフト１７２を介してモーター１２０に接続されている。ファン１１８とモーター１２０とはファンデッキ１０６に搭載されている。ファン１１８はシャフト１７２を貫通して固定され、かつファンクリップ１３２によって保持されている。サーモスタット１２６もまたファンデッキ１０６に取り付けられている。
【００２９】
温度センサー１４０は要素マウント１０８に取り付けられており、かつそれは加熱要素１２２に電気的に接続されている。電気ユニット１００が所定の温度を上回って熱くなったとき、温度センサー１４０は加熱要素１２２への回路を自動的に遮断し、そして電気ユニット１００が冷えたとき、温度センサー１４０は回路を再びつなぎ、加熱要素１２２が機能することを可能とする。
【００３０】
温度ヒューズ１３８は要素マウント１０８に取り付けられており、かつそれは加熱要素１２２に対して電気的に接続されている。温度ヒューズ１３８は付加的なフェイルセイフ機構である。温度ヒューズ１３８は、温度センサー１４０が故障した場合に加熱要素１２２への回路を遮断するよう構成されている。ゆえに、電気ユニット１００が過熱したとき温度センサー１４０が回路を遮断できない場合でも、温度ヒューズ１３８が加熱要素１２２への回路を遮断する。もしこれが起こった場合、電気ユニット１００の修理が必要になる。
【００３１】
上述したように、表示ライト１３４がファンデッキ１０６に取り付けられる。表示ライト１３４は加熱要素１２２に対して電気的に接続されており、この結果、表示ライト１３４は、温度センサー１４０または温度ヒューズ１３８のいずれかが加熱要素１２２への電力を遮断するように作動したときに点灯する。たとえば、温度センサー１４０が電気ユニット１００の過熱を検出した場合、それは加熱要素への電力を遮断し、そして表示ライト１３４が自動的に点灯する。ユニット１００が冷えたとき、温度センサー１４０は加熱要素に電力を供給し、そして表示ライト１３４は消灯する。温度ヒューズ１３８が機能した場合、電気ユニット１００が修理されるまで表示ライト１３４は消灯しない。
【００３２】
図５は本発明の実施形態に係る第１の配線図を示している。この配線図は、本発明のさまざまな要素の電気的接続性を示している。図５に示す本発明の実施形態では、加熱要素１２２、モーター１２０、そして低温プラズマ発生装置１１６は並列接続されている。
【００３３】
図示するように、サーモスタット１２６は電源１６０に対して電気的に接続される。サーモスタット１２６はまた、ブッシュ１６４を通り、ワット数選択盤１６２に対して電気的に接続されている。ワット数選択盤によって製造業者が異なるワット数レベルを選択することが可能となり、たとえば電線１６８,１７０の一つ以上を選択的に取り外すことで、ワット数を５００ないし２０００ワットの間で変化させることができる。電線１６８,１７０は加熱要素１２２に電気的につながっている。ワット数の変更は、加熱要素１２２の最大加熱能力に変化を及ぼし得る。ゆえに、製造業者は、電線１６８および１７０の一方あるいは両方を単に取り外すだけで、異なる最大温度設定値を備えた加熱ユニットを製造できる。
【００３４】
さらに、サーモスタット１２６は、スプライス１６６を介して、温度センサー１４０に対して電気的に接続されている。温度センサーは温度ヒューズ１３８に対して電気的に接続されている。温度ヒューズ１３８は加熱要素１２２に対して、さらに接続されている。モーター１２０は加熱要素１２２およびワット数選択盤１６２に対して電気的に接続されている。低温プラズマ発生装置１１６は、スプライス１６６およびワット数選択盤１６２に対して電気的に接続されている。表示ライト１３４はまた、スプライス１６６および加熱要素１２２に対して電気的に接続されている。これは並列システムであることに留意されたい。電気ユニットがスイッチオンされたとき、加熱要素１２２、低温プラズマ発生装置１１６、およびモーター１２０の全てに電力が供給される。
【００３５】
図６には、本発明の別な実施形態の第２の配線図を示す。この実施形態では、低温プラズマ発生装置１１６は、加熱要素１２２とワット数選択盤１６２との間を電気的につなぐ。低温プラズマ発生装置１１６は、サーモスタット１２６が電源から切断されたとき機能停止する。これに代えて、低温プラズマ発生装置１１６は加熱要素１２２と一体化させることができる。したがって、低温プラズマ発生装置１１６は温度センサー１４０および温度ヒューズ１３８によって制御可能である。
【００３６】
運転時、電気ユニットが室内に置かれた場合、加熱要素１２２は暖かい空気を発生させ、低温プラズマ発生装置１１６は電極１１２,１１３に電力を供給する。電極１１２,１１３間の電位は電界を形成する。空気中の水分子がこの電界を通過するとき、水分子は水素イオンおよびヒドロキシルイオンへと分裂し、そしてモーター１２０がファン１１８を駆動して、加熱された空気およびイオンを室内に送り込み、冷たい空気を取り込む。ヒドロキシルイオンは部屋のバクテリアおよびウイルスと結合する。数サイクルの後、部屋は温められ、そしてバクテリアおよびウイルスの多くは無力化させられる。
【００３７】
本発明の多くの特徴および利点は詳細な説明から明らかであり、したがって、特許請求の範囲の記載は、本発明の真の趣旨および範囲に包含される、本発明のそうした特徴および利点の全てを保護することを意図している。さらに、さまざまな変更および改変は当業者には明白であるから、本発明を、図示説明した正確な構造および機能に限定するのは望ましいことではなく、したがって全ての適当な変形および等価物は本発明の範囲によって規定される。
【図面の簡単な説明】
【００３８】
【図１】本発明の好ましい実施形態による電気ヒーターの一部分解図である。
【図２】正面カバーおよびファンデッキを省略した状態での本発明による電気ユニットの正面図である。
【図３】図２の線３‐３に沿って取った断面図である。
【図４】さまざまな小部品を示す、本発明によるファン‐パネルアセンブリの分解図である。
【図５】本発明の一実施形態に係る第１の配線図である。
【図６】本発明の他の実施形態に係る第２の配線図である。
【符号の説明】
【００３９】
１００  電気ユニット
１０２  背面カバー
１０４  前面カバー
１０６  ファンデッキ
１０８  要素マウント
１１０  高電圧線
１１２,１１３  電極
１１４  ブラケット
１１６  低温プラズマ発生装置
１１８  ファン
１２０  モーター
１２２  加熱要素
１２４  ノブ
１２６  サーモスタット
１２８  温度ヒューズ
１３０  スロット
１３２  ファンクリップ
１３４  表示ライト
１３８  温度ヒューズ
１４０  温度センサー
１５０,１５２  開口部
１５４  スリット
１６０  電源
１６２  ワット数選択盤
１６４  ブッシュ
１６６  スプライス
１６８,１７０  電線
１７２  シャフト
２００  ファン‐パネルアセンブリ
【図１】
2008136846.tif 000003
【図２】
2008136846.tif 000004
【図３】
2008136846.tif 000005
【図４】
2008136846.tif 000006
【図５】
2008136846.tif 000007
【図６】
2008136846.tif 000008
【外国語明細書】
2008136846.tif 000009
2008136846.tif 000010
2008136846.tif 000011
2008136846.tif 000012
2008136846.tif 000013
2008136846.tif 000014
2008136846.tif 000015
2008136846.tif 000016
2008136846.tif 000017
2008136846.tif 000018
2008136846.tif 000019
2008136846.tif 000020
2008136846.tif 000021
2008136846.tif 000022
2008136846.tif 000023
2008136846.tif 000024
2008136846.tif 000025
2008136846.tif 000026
2008136846.tif 000027
2008136846.tif 000028
2008136846.tif 000029
2008136846.tif 000030
2008136846.tif 000031